(57)【要約】【課題】コネクタの任意の位置でシールドグランド線を基板に接続することができるワイヤーハーネスとコネクタ及びそれらを用いた電子機器を提供する。【解決手段】外側導体２１と内側導体２３を有する高速信号ケーブル２９、３０と、高速信号ケーブル２９、３０の内側導体がそれぞれ接続される複数の信号端子２４および高速信号ケーブル２９、３０の外側導体がそれぞれ接続されるグランド部材２６を含むプラグコネクタ部１２を備え、少なくとも１つの中心導体３１ａを有するグランド接続用ケーブル３１をプラグコネクタ部１２に接続する際に、グランド接続用ケーブル３１の中心導体３１ａを複数の信号端子２４のいずれかに接続するとともに、グランド接続用ケーブル３１、３２の中心導体３１ａ、３２ａをグランド部材２６に接続する。【選択図】  図５
2013026076.tif 000002
【特許請求の範囲】
【請求項１】
外側導体と内側導体を有する複数の第１のケーブルと、
前記第１のケーブルの前記内側導体がそれぞれ接続される複数の信号端子および前記第１のケーブルの前記外側導体がそれぞれ接続されるグランド部材を含むコネクタとを備えるワイヤーハーネスであって、
少なくとも１つの導体を有する第２のケーブルを前記コネクタに接続する際に、前記第２のケーブルの前記導体を前記複数の信号端子のいずれかに接続するとともに、前記第２のケーブルの前記導体を前記グランド部材に接続することを特徴とするワイヤーハーネス。
【請求項２】
前記第２のケーブルが前記複数の第１のケーブルの間で等間隔に位置するように、前記コネクタに接続されることを特徴とする請求項１に記載のワイヤーハーネス。
【請求項３】
前記第２のケーブルは、ディスクリートケーブルであることを特徴とする請求項１または２に記載のワイヤーハーネス。
【請求項４】
前記第２のケーブルは、外側導体と内側導体を備えた細線同軸ケーブルであり、前記外側導体を前記第２のケーブルの前記導体として使用することを特徴とする請求項１または２に記載のワイヤーハーネス。
【請求項５】
前記第２のケーブルは、外側導体と内側導体を備えた細線同軸ケーブルであり、前記内側導体を前記第２のケーブルの前記導体として使用することを特徴とする請求項１または２に記載のワイヤーハーネス。
【請求項６】
前記グランド部材は、前記第２のケーブルに対応する部分に凹形状が形成されていることを特徴とする請求項１から５のいずれか１項に記載のワイヤーハーネス。
【請求項７】
請求項１から６のいずれか１項に記載のワイヤーハーネスを有することを特徴とする電子機器。
【請求項８】
前記第２のケーブルは、前記複数の第１のケーブルのうち差動伝送ラインとして使用されるケーブルの隣に配置されることを特徴とする請求項７に記載の電子機器。
【請求項９】
複数の細線同軸ケーブルに接続されるように構成されたコネクタであって、
前記複数の細線同軸ケーブルがそれぞれ備える複数の外側導体に接続されるグランド部材と、
前記複数の細線同軸ケーブルがそれぞれ備える複数の内側導体とそれぞれ接続される複数の信号端子と、を有し、
前記グランド部材には、前記複数の信号端子の一部に接続される凸形状部が形成されることを特徴とするコネクタ。
【請求項１０】
前記凸形状は、等間隔に形成されていること特徴とする請求項９に記載のコネクタ。
【請求項１１】
請求項９または１０に記載のコネクタを有することを特徴とする電子機器。
【発明の詳細な説明】
【技術分野】
【０００１】
本発明は、ワイヤーハーネスとコネクタ及びそれらを用いた電子機器に関する。
【背景技術】
【０００２】
従来より、デジタルカメラやビデオカメラ、携帯電話のような携帯機器内部の回路基板同士を、複数の細線同軸ケーブルにより接続する事が出来る多極細線同軸コネクタが広く用いられている。基板間を細線同軸ケーブルにより接続する事で、ディスクリートケーブルを用いて接続する場合に比べて、インピーダンスが管理できるため信号の高速伝送化が可能である。また、シールド効果が得られるため信号線からの不要輻射の抑制が可能であったり、周辺回路から信号線へのノイズのクロストークの抑制が可能であるといった効果がある。
【０００３】
従来より広く使用されている多極細線同軸コネクタとして、例えば特許文献１のようなプラグコネクタとリセプタクルコネクタが嵌合することで、ケーブルと基板との間を電気的に接続するように構成されているものが一般的である。このコネクタにおいて、細線同軸ケーブルのシールドグランド線である外側導体、信号線である内側導体の接続はそれぞれ以下の様になっている。
【０００４】
まず、複数の細線同軸ケーブルの外側導体はプラグコネクタ内のグランド部材に対して半田接続されていると共に、プラグコネクタ全体を覆うように構成された金属製のシェル部材に対して半田または板バネの圧接により接続されている。そして、プラグコネクタとリセプタクルコネクタが嵌合することで、リセプタクルコネクタに設けられたグランド端子とプラグコネクタのシェルが接触する。グランド端子は基板上のグランドパターンに半田付けされる。
【０００５】
次に、細線同軸ケーブルの内側導体は、プラグコネクタ内の信号端子に１本ずつそれぞれ半田接続されている。プラグコネクタの信号端子は、プラグコネクタとリセプタクルコネクタが嵌合することでリセプタクルコネクタの信号端子へ接触する。リセプタクルコネクタの信号端子は基板上の信号パターンと半田付けにより接続される。
【０００６】
この構成では、信号線は、プラグコネクタの信号端子、リセプタクルコネクタの信号端子を経由し基板に接続する。一方、シールドグランド線は、プラグコネクタのグランド部材、プラグコネクタのシェル部材、リセプタクルコネクタのグランド端子を経由して基板に接続するため、コネクタ内部で、信号端子に対して迂回して基板と接続する事になる。
【０００７】
細線同軸ケーブル内で信号線とシールドグランド線が併走して配線されていても、コネクタ内部では両者を併走させて基板に接続する事ができないため、伝送特性やＥＭＩ特性において悪影響を生じてしまう問題がある。また、細線同軸ケーブルのシールドグランド線と基板のグランドの接続を増やす事で伝送特性やＥＭＩ特性を向上させる事が可能であるが、接続の経路はコネクタの構造で決まっているため増やす事が出来ないという問題もある。
【０００８】
上記の問題に対して、特許文献２では、グランド端子を信号端子の間でも基板へ半田付けするようにした多極細線同軸コネクタが開示されている。
【０００９】
また、特許文献３では、複数のケーブルそれぞれに対応した独立したシールドグランド用の端子を設けるようにした多極細線同軸コネクタが開示されている。
【先行技術文献】
【特許文献】
【００１０】
【特許文献１】特開２００８−０９７８４９号公報
【特許文献２】特開２００８−２７７０２０号公報
【特許文献３】特開２００９−０４３５９０号公報
【発明の概要】
【発明が解決しようとする課題】
【００１１】
特許文献２に開示された従来技術では、グランド端子を信号線の間に設ける事で、その近傍の信号線をシールドグランド線にほぼ併走させて基板へ接続する事ができる。また、グランドをより多点で基板へ接続する事が出来る。しかしながら、グランド端子の基板への半田付け位置はコネクタの構造により決まっており、用途に応じて任意の位置にグランド端子を設けることはできない。さらに、グランド端子を信号線の間に設ける為にコネクタの構造が複雑になってしまう。
【００１２】
また、特許文献３に開示された従来技術では、複数のケーブルそれぞれに対応した独立したシールドグランド用の端子を設けるようにしたので、全てのケーブルのシールドグランド線は信号線に対して並んで基板に接続する事ができる。しかしながら、グランド端子の部品点数が大幅に増加してしまう。
【００１３】
そこで、本発明の目的は、コネクタの任意の位置でシールドグランド線を基板に接続することができるワイヤーハーネスとコネクタ及びそれらを用いた電子機器を提供することである。
【課題を解決するための手段】
【００１４】
上記目的を達成するために、本発明の一側面としてのワイヤーハーネスは、外側導体と内側導体を有する複数の第１のケーブルと、前記第１のケーブルの前記内側導体がそれぞれ接続される複数の信号端子および前記第１のケーブルの前記外側導体がそれぞれ接続されるグランド部材を含むコネクタとを備え、少なくとも１つの導体を有する第２のケーブルを前記コネクタに接続する際に、前記第２のケーブルの前記導体を前記複数の信号端子のいずれかに接続するとともに、前記第２のケーブルの前記導体を前記グランド部材に接続することを特徴とする。
【００１５】
また、上記目的を達成するために、本発明の他の側面としてのコネクタは、複数の細線同軸ケーブルに接続されるように構成されたコネクタであって、前記複数の細線同軸ケーブルがそれぞれ備える複数の外側導体に接続されるグランド部材と、前記複数の細線同軸ケーブルがそれぞれ備える複数の内側導体とそれぞれ接続される複数の信号端子と、を有し、前記グランド部材には、前記複数の信号端子の一部に接続される凸形状部が形成されることを特徴とする。
【発明の効果】
【００１６】
本発明では、コネクタの任意の位置でシールドグランド線を基板に接続することができるワイヤーハーネスとコネクタ及びそれらを用いた電子機器を提供することができる。
【図面の簡単な説明】
【００１７】
【図１】本発明の実施例である撮像装置の一構成例を示した外観斜視図である。
【図２】図１の撮像装置における表示部筐体の状態の遷移の一例を示した斜視図である。
【図３】図１の撮像装置の表示部筐体を開いて表示パネル面を被写体側へ向けた状態でのカメラ背面から見た分解斜視図である。
【図４】細線同軸ケーブルの構成を示す図である。
【図５】図３の細線同軸コネクタのケーブル接続構成を示す分解斜視図である。
【図６】図５の細線同軸コネクタのケーブル接続構成のケーブル接続部の拡大図である。
【図７】コネクタの嵌合状態における接続状態を示す断面図である。
【図８】高速信号ケーブルの信号線とシールドグランド線の基板までの接続経路を示す図である。
【図９】グランド接続用ケーブルとして細線同軸ケーブルを用いたケーブル接続構成を示す分解斜視図である。
【図１０】グランド接続用ケーブルとして細線同軸ケーブルを用いた別のケーブル接続構成を示す分解斜視図である。
【図１１】グランド部材に凹形状を設けた変形例を示す分解斜視図である。
【図１２】グランド部材に凸形状を設けた別の構成を示す分解斜視図である。
【発明を実施するための形態】
【００１８】
以下に、本発明の好ましい実施の形態を、添付の図面に基づいて詳細に説明する。
【００１９】
図１は、本発明を実施した電子機器としての一例である撮像装置の外観斜視図であり、図１（ａ）は正面側から見た外観斜視図、図１（ｂ）は背面から見た外観斜視図である。デジタルカメラ１は、表示パネル５を有する表示部筐体２と、カメラ本体側の本体筐体３と、表示部筐体２と本体筐体３を連結するヒンジ部４からなる。ヒンジ部４はいわゆる２軸ヒンジ機構を有しており、表示部筐体２は本体筐体３に対して、開閉及び回転可能に連結されている。本体筐体３と表示部筐体２とがヒンジ部４によって連結されている事で、撮影者は撮影を行う姿勢に応じて表示部筐体２の角度を自由に変えることが出来、ハイアングルやローアングルでも被写体を確認しながら撮影を行う事が出来る。
【００２０】
図２（ａ）〜（ｄ）は、図１のデジタルカメラ１における表示部筐体２の状態の遷移の一例を示した斜視図である。デジタルカメラ１の本体筐体３には、表示部筐体２を閉じた状態で収納される表示部筐体収納部６が設けられており、図２（ａ）は表示パネル５の面を撮影者側に向けた状態で表示部筐体２を本体筐体３側に閉じ、表示部筐体収納部６に収めた状態を示す図である。この状態はバリアングル型の表示部を持たない一般的なデジタルカメラと同じ使い方をする場合に適している。図２（ｂ）は、表示パネル５の面を隠した状態で表示部筐体２を本体筐体３側に閉じた状態を示す図である。表示パネル５の面がカメラの外側に露出しないのでパネル面を傷つける事が無く、カメラを使用しないときなどに表示パネル５の面を保護したい場合に適している。図２（ｃ）は、表示部筐体２を開いた状態で表示パネル５の面を撮影者側へ向けた状態を示す図である。撮影者がカメラアングルに応じて表示パネル５の面の角度を自由に変えられるため、様々な状況に適している。図２（ｄ）は、表示部筐体２を開いた状態で表示パネル５の面を被写体側へ向けた状態を示す図である。被写体側から表示パネル５の面を確認しながら撮影する事が出来るため、自分撮りやセルフタイマー撮影などを行う際に適している。
【００２１】
次に、表示部筐体２側と本体筐体３側の内部接続の構成について説明を行う。
【００２２】
図３は、表示部筐体２を開いて表示パネル５の面を被写体側へ向けた状態でのカメラ背面から見た分解斜視図である。
【００２３】
表示部筐体２内部には、表示パネル５および、バックライトユニットからなる表示パネルユニット１５及び、表示パネル５の駆動に関連する回路が実装された表示部回路基板７が配置されている。表示パネルユニット１５は、表示パネル５に接続している表示パネルＦＰＣ８とバックライトユニットに接続しているバックライトＦＰＣ９によって、表示部回路基板７に実装されたコネクタ１０ａ、１０ｂに接続している。
【００２４】
表示部筐体２と本体筐体３はヒンジユニット１３により連結されており、本体筐体３側でヒンジユニット１３はメインシャーシ１４にビス止め固定されている。
【００２５】
本体筐体３内部には、カメラ全体の制御および信号処理を行うメイン回路基板１６が配置されており、表示部回路基板７とメイン回路基板１６とはヒンジユニット１３を通るワイヤーハーネス１９と多極細線同軸コネクタによって接続されている。ワイヤーハーネス１９は両端にそれぞれの基板と接続する為のプラグコネクタ部１２、１８を有し、メイン回路基板１６に実装されたリセプタクルコネクタ１１及び表示部回路基板７に実装されたリセプタクルコネクタ１７と接続している。上記構成により、表示部筐体２と本体筐体３は電気的に接続されつつ、ヒンジ部４によって開閉及び回転可能に連結されている。
【００２６】
次に、ワイヤーハーネス１９とメイン回路基板１６との接続部である細線同軸コネクタのケーブル接続構成を図４、図５、図６を用いて説明する。
【００２７】
図４は、細線同軸ケーブルの構成を示す図である。
【００２８】
図５は、ワイヤーハーネス１９とメイン回路基板１６との接続部である細線同軸コネクタのケーブル接続構成を示す分解斜視図である。図５（ａ）は、プラグコネクタ部１２のケーブルアッセンブリ前の分解斜視図である。図５（ｂ）は、プラグコネクタのカバー取り付け前の状態を示す分解斜視図である。なお、図５（ａ）および図５（ｂ）には、プラグコネクタ部１２と嵌合可能なリセプタクルコネクタ１１も描かれている。図５（ｃ）は、ケーブルアッセンブリ後のプラグコネクタ部１２とリセプタクルコネクタ１１の嵌合状態を示す図である。
【００２９】
図６は、図５（ｂ）のＡの範囲で示すプラグコネクタ部１２とケーブル接続部の拡大図である。
【００３０】
細線同軸ケーブルは図４に示す通り、外皮２０、シールドグランド線である外側導体２１、絶縁体２２、信号線である内側導体２３からなる。
【００３１】
図５（ａ）、図５（ｂ）に示す通り、プラグコネクタ部１２は、ハウジング２５とグランド部材２６とシェル部材２７とからなる。ハウジング２５は、各細線同軸ケーブルの内側導体２３に対応した信号端子２４がインサート成型されたハウジングである。グランド部材２６は、細線同軸ケーブルの外側導体２１に半田付け接続されるグランド部材である。シェル部材２７は、グランド部材２６に半田付けされ、プラグコネクタ部１２を覆うシェル部材である。プラグコネクタ部１２にアッセンブリされる複数のケーブル２８は、信号接続用の細線同軸ケーブルの他に、一部にグランド接続用のディスクリートケーブルを用いて構成されている。高速信号ケーブル（第１のケーブル）２９、３０は、細線同軸ケーブルであり、例えば差動伝送ラインとして使用されている。高速信号ケーブル２９、３０の両隣には、ディスクリートケーブルであるグランド接続用ケーブル（第２のケーブル）３１、３２を配置してある。その他のケーブルは、全て細線同軸ケーブルである。
【００３２】
各ケーブルの接続は、図６に示す通り、グランド部材２６には全ての細線同軸ケーブルの外側導体２１および、グランド接続用ケーブル３１、３２の中心導体３１ａ、３２ａが半田付け接続される。また、信号端子２４には各細線同軸ケーブルの内側導体２３が半田付け接続され、グランド接続用ケーブル３１、３２は中心導体３１ａ、３２ａが半田付け接続される。
【００３３】
そして、図５（ｂ）に示す通りこれらを覆うように金属製のシェル部材２７をハウジング２５に組み付け、シェル部材２７に設けられた開口部２７ａでグランド部材２６とシェル部材２７を半田付けにより接続する。以上でプラグコネクタ部１２のケーブルアッセンブリが完了する。
【００３４】
図５（ａ）および図５（ｂ）に図示するように、一方のリセプタクルコネクタ１１のハウジング３４には、プラグコネクタ部１２の信号端子２４に対応した信号端子３５が設けられている。また、プラグコネクタ部１２のシェル部材２７の両端に設けられたグランド接続片２７ｂに対応したグランド端子３６が圧入されている。
【００３５】
そして、プラグコネクタ部１２とリセプタクルコネクタ１１を図５（ｃ）に示すように嵌合させることで、ワイヤーハーネス１９とメイン回路基板１６とが接続される。
【００３６】
ここで、ケーブル２８、プラグコネクタ部１２、リセプタクルコネクタ１１、メイン回路基板１６の接続について、図７を用いてより詳細に説明する。
【００３７】
図７（ａ）は、プラグコネクタ部１２とリセプタクルコネクタ１１の嵌合状態における接続状態を示す断面図である。図７（ｂ）は、グランド接続用ケーブル３２部の接続状態を示す断面図である。図７（ｃ）は、信号接続用の細線同軸ケーブル部の接続状態を示す断面図である。図７（ｄ）は、シェル部材２７とグランド端子３６の接続状態を示す断面図である。
【００３８】
まず、信号接続用の細線同軸ケーブル部の接続について説明する。
【００３９】
図７（ｃ）に示す通り、細線同軸ケーブルの信号線である内側導体２３は、プラグコネクタ部１２の信号端子２４に半田付け接続されている。信号端子２４は、リセプタクルコネクタ１１の対応する信号端子３５に接触して接続している。信号端子３５は、メイン回路基板１６にリセプタクルコネクタ１１がリフロー実装されて半田接続している。また、細線同軸ケーブルのシールドグランド線である外側導体２１とグランド部材２６が半田付け接続されている。さらに、そのグランド部材２６とシェル部材２７を半田接続することで、ケーブルのシールドグランド線とシェル部材２７が接続している。シェル部材２７は、図７（ｄ）に示す通り、シェル部材２７に設けられたグランド接続片２７ｂとリセプタクルコネクタ１１のグランド端子３６が接触している。グランド端子３６は、信号端子３５と同様にメイン回路基板へ半田接続している。
【００４０】
次に、グランド接続用ケーブル部の接続について説明する。
【００４１】
グランド接続用ケーブル３２は上述の通りディスクリートケーブルである。その接続は図７（ｂ）に示す通り、中心導体３２ａがグランド部材２６に半田付けされているとともに、信号端子２４にも半田付けされている。グランド部材２６は上述の通りシェル部材２７に半田接続している。つまり、グランド接続用ケーブル３１、３２により、グランド部材２６、シェル部材２７と信号端子２４とを接続している。
【００４２】
これまで説明した構成から得られる高速信号ケーブル２９、３０の信号線とシールドグランド線の基板までの接続経路について図８により説明する。
【００４３】
図８は、高速信号ケーブル２９、３０の信号線とシールドグランド線の基板までの接続経路を示す図である。図８（ａ）はグランド接続用ケーブルを用いない場合の接続経路を示す図であり、図８（ｂ）はグランド接続用ケーブルを用いた場合の接続経路を示す図である。
【００４４】
まず、グランド接続用ケーブルを用いない場合、図８（ａ）に示す通り、高速信号ケーブルの２９、３０の信号線は接続経路３７、３８のように接続され、高速信号ケーブルの２９、３０のシールドグランド線は接続経路３９のように接続される。
【００４５】
一方、グランド接続用ケーブルを用いた構成では、図８（ｂ）に示す通り、高速信号ケーブルの２９、３０のシールドグランド線は、グランド接続用ケーブル３１、３２によりグランド部材２６と隣の信号端子２４が接続されているため、接続経路４０のとおりとなる。
【００４６】
つまり、グランド接続用ケーブルを用いない場合、シールドグランド線の接続経路３９は、コネクタ部で、信号線の接続経路３７、３８に対して大きく迂回している。これに対し、グランド接続用ケーブルを用いた場合、シールドグランド線の接続経路４０は、コネクタ部で、信号線の接続経路３７、３８に対して迂回することなく、隣接している。
【００４７】
これにより、信号の伝送特性やＥＭＩ特性において良好な特性を得る事が出来る。
【００４８】
また、グランド接続用ケーブルはコネクタの任意の端子位置に設定できるため、シールドグランド線を隣接させたい高速信号線をどの端子位置に設定した場合にも適用が可能である。
【００４９】
そして、グランド接続用ケーブルの配置個所を増やす事によって、容易にシールドグランド線と基板との接続を増やす事が可能であり、信号の伝送特性やＥＭＩ特性において良好な特性を得る事が出来る。この際、グランド接続用ケーブルを等間隔に配置することで安定した特性を得る事が出来る。
【００５０】
さらに、本構成は、コネクタ側に特別な構造を必要とせず、一般的な多極細線同軸コネクタにおいて適用が可能である。
【００５１】
上述した実施例では、グランド接続用ケーブルとして、ディスクリートケーブルを用いた構成を説明したが、第１の変形例として、図９に示す様に、グランド接続用ケーブル１３１、１３２として細線同軸ケーブルを用いてもよい。第１の変形例では、外側導体１３１ａ、１３２ａ、グランド部材１２６、信号端子１２４とを半田接続する。すなわち、グランド部材１２６が細線同軸ケーブルの外側導体１３１ａ、１３２ａと信号端子１２４とを接続する。この様に構成しても、上述した実施例と同様の作用効果が得られる。第１の変形例では、プラグコネクタ部１２のケーブルアッセンブリの際に、細線同軸ケーブルとディスクリートケーブルとを決められた順番に並べる必要がない。
【００５２】
また、第２の変形例として、図１０に示す様に、グランド接続用ケーブル２３１、２３２として細線同軸ケーブルを用いてもよい。第２の変形例では、内側導体２３１ａ、２３２ａ、グランド部材２２６、信号端子２２４とを半田接続する。すなわち、グランド部材２２６が細線同軸ケーブルの内側導体２３１ａ、２３２ａと信号端子２２４を接続する。この様に構成しても、上述した実施例と同様の作用効果が得られる。第２の変形例では、プラグコネクタ部１２のケーブルアッセンブリの際に、細線同軸ケーブルとディスクリートケーブルとを決められた順番に並べる必要がない。
【００５３】
また、ここで、図１１に示す通り、グランド接続部材３２６に、グランド接続用ケーブル３３１、３３２に対応する位置に凹形状３２６ａを形成しておく事で、半田付けする部分の導体径に違いがあった場合でも良好な半田付けの状態を得る事が出来る。
【００５４】
さらに、第３の変形例として、図１２に示す通り、グランド接続用ケーブルとして細線同軸ケーブルを用いて、グランド部材４２６に凸形状４２６ａを形成している。凸形状４２６ａが細線同軸ケーブルの内側導体４２３と信号端子４２４とにそれぞれ半田接続される。このように構成することで、凸形状４２６ａが細線同軸ケーブルの内側導体４２３と信号端子４２４とを接続する。この構成によっても、上述した実施例と同様の効果が得られる。第３の変形例では、プラグコネクタ部１２のケーブルアッセンブリの際に、細線同軸ケーブルとディスクリートケーブルとを決められた順番に並べる必要がない。そして、コネクタ側はグランド部材４２６の変更だけで実現可能である。
【００５５】
また、グランド接続用ケーブルとして細線同軸ケーブルを廃止し、凸形状４２６ａが対応する信号端子４２４に半田接続されるだけでも、上述した実施例と同様の効果が得られる。
【００５６】
以上、本発明の好ましい実施形態について説明したが、本発明はこれらの実施形態に限定されず、その要旨の範囲内で種々の変形及び変更が可能である。
【符号の説明】
【００５７】
２１        外側導体
２３        内側導体
２４        信号端子
２６        グランド部材
２９、３０  高速信号ケーブル
３１、３２  グランド接続用ケーブル
【図１】
2013026076.tif 000003
【図２】
2013026076.tif 000004
【図３】
2013026076.tif 000005
【図４】
2013026076.tif 000006
【図５】
2013026076.tif 000007
【図６】
2013026076.tif 000008
【図７】
2013026076.tif 000009
【図８】
2013026076.tif 000010
【図９】
2013026076.tif 000011
【図１０】
2013026076.tif 000012
【図１１】
2013026076.tif 000013
【図１２】
2013026076.tif 000014